(57)【要約】【課題】本発明はニットセーターの埃をはたく装置を開示した。【解決手段】装置主体を含み、前記装置主体の中には右方に開口した作業チャンバが設置され、前記作業チャンバの左側内壁の中にはスライドブロックチャンバが連通して設置され、前記スライドブロックチャンバの左側内壁の中にはカムチャンバが連通して設置され、前記カムチャンバと前記スライドブロックチャンバとの中には昇降装置が設置され、前記作業チャンバの中には埃はたき装置が設置され、前記作業チャンバの上側内壁の中には転向装置が設置され、前記作業チャンバの下側内壁の中には埃とり装置が設置され、前記埃はたき装置と、前記転向装置と前記埃とり装置とが前記昇降装置にいずれも連結されている。【選択図】図１
2020175357.tif 000002
【特許請求の範囲】
【請求項１】
装置主体を含み、前記装置主体の中には右方に開口した作業チャンバが設置され、前記作業チャンバの左側内壁の中にはスライドブロックチャンバが連通して設置され、前記スライドブロックチャンバの左側内壁の中にはカムチャンバが連通して設置され、前記カムチャンバと前記スライドブロックチャンバとの中には昇降装置が設置され、前記作業チャンバの中には埃はたき装置が設置され、前記作業チャンバの上側内壁の中には転向装置が設置され、前記作業チャンバの下側内壁の中には埃とり装置が設置され、前記埃はたき装置と、前記転向装置と前記埃とり装置とが前記昇降装置にいずれも連結され、前記作業チャンバの中にはニットセーターが設置され、前記転向装置により前記ニットセーターを挟むことができ、前記昇降装置は前記スライドブロックチャンバの下側内壁の中に設置される下伝動チャンバを含み、前記下伝動チャンバの中には下歯車が回転できるように設置され、前記下歯車の中には長軸が固定的に連結され、前記下伝動チャンバの下側内壁の中にはモータが固定的に設置され、前記長軸が前記モーターに伝動できるように連結され、前記下歯車の左側には左歯車が噛み合って設置され、前記左歯車の左側にはカンチレバー軸が固定的に連結され、前記カンチレバー軸の左端が前記カムチャンバの中に伸びており、且つ前記カンチレバー軸の左端には垂直駆動輪が固定的に連結され、前記垂直駆動輪の左側にはカムが回転できるように設置され、前記カムの中の回転中心にはカム軸が固定的に連結され、前記カム軸の右端には垂直従動輪が固定的に連結され、前記垂直従動輪と前記垂直駆動輪との間には垂直ベルトが連結され、前記スライドブロックチャンバの中にはスライドブロックがスライドできるように設置され、前記スライドブロックの左端が前記カムチャンバの中に伸びており、前記カムの上端が前記スライドブロックと当接しており、前記スライドブロックの上端と前記カムチャンバの上側内壁との間にはバネが固定的に連結される；前記モーターを起動し前記スライドブロックを昇降連動させ、同時に前記埃はたき装置と、前記転向装置および前記埃とり装置を駆動することを特徴とするニットセーターの埃をはたく装置。
【請求項２】
前記埃はたき装置は前記作業チャンバの中にスライドできるように設置される固定ロッドを含み、前記固定ロッドの左端が前記スライドブロックに固定的に連結され、前記固定ロッドの中にはガイド溝上下に貫通し設置され、前記固定ロッドの下端には前後に対称している連結ロッドが固定的に連結され、後側にある前記連結ロッドの中にはプーリチャンバが設置され、前記プーリチャンバの中には横向き従動輪が回転できるように設置され、前記横向き従動輪の中には連結軸が固定的に連結され、前記連結軸の前端が前側にある前記連結ロッドに回転できるように連結され、両側にある前記連結ロッドの間には前記連結軸に固定的に連結される埃はたき輪が回転できるように設置され、前記長軸の上端が伸びて前記スライドブロックを貫通し、且つ前記スライドブロックとスライドできるように連結され、前記スライドブロックの中には上伝動チャンバが設置され、前記上伝動チャンバの中には上歯車が回転できるように設置され、前記上歯車が前記長軸にスプラインにより連結され、前記上歯車の後端には後歯車が噛み合って設置され、前記後歯車の後端には横向き駆動輪が固定的に連結され、前記横向き駆動輪と横向き従動輪との間には横向きベルトが連結される；前記埃はたき装置が前記ニットセーターに対し埃を叩くことができ、同時に前記ニットセーターを大きく振るうことを避けられることを特徴とする請求項１に記載のニットセーターの埃をはたく装置。
【請求項３】
前記転向装置は前記スライドブロックチャンバの上側内壁の中に設置される平歯車チャンバを含み、前記長軸の上端が前記平歯車チャンバの中に伸びており、且つ前記長軸の上端には扇形歯車が固定的に連結され、前記扇形歯車の右端には平歯車が噛み合うできるように設置され、前記平歯車の中には短軸が固定的に連結され、前記平歯車の上側には前記短軸に固定的に連結される上駆動輪が回転できるように設置され、前記平歯車チャンバの右側内壁の中には回転盤チャンバが設置され、前記回転盤チャンバの中には上従動輪が回転できるように設置され、前記上駆動輪と前記上従動輪との間には上伝動ベルトが連結され、前記上従動輪の下端には回転盤が固定的に連結され、前記回転盤の下端には前後に対称している連結ブロックが固定的に連結され、前記連結ブロックの中には下に開口した貫通溝が左右に貫通し設置され、前記貫通溝の前後内壁の間にはねじり軸が左右に対称的に回転できるように連結され、前記ねじり軸には服挟みが固定的に連結され、前記服挟みの前後両端と前記貫通溝の前後内壁との間にはねじりばねが固定的に連結される；前記転向装置が左右両側にある前記服挟みにより前記ニットセーターを挟むことを特徴とする請求項２に記載のニットセーターの埃をはたく装置。
【請求項４】
前記埃とり装置は前記下伝動チャンバの下側内壁の中に設置される伝動ベルトチャンバを含み、前記伝動ベルトチャンバの中には前記長軸に固定的に連結される下駆動輪が回転できるように設置され、前記下駆動輪の右側には下従動輪が回転できるように設置され、前記下駆動輪と下従動輪との間には下伝動ベルトが連結され、前記下従動輪の中にはファン軸が固定的に連結され、前記作業チャンバの下側内壁の中にはファンチャンバが連通し設置され、前記ファンチャンバの中にはファンが回転できるように設置され、前記ファン軸の上端が前記ファンチャンバの中に伸びており、且つ前記ファンに固定的に連結される；前記埃とり装置がはたかれる埃を前記ファンチャンバの中に収集することができることを特徴とする請求項３に記載のニットセーターの埃をはたく装置。
【発明の詳細な説明】
【技術分野】
【０００１】
本発明はニットセーター分野を取り上げて、具体的にはニットセーターの埃をはたく装置である。
【背景技術】
【０００２】
ニットセーターはよく見られる服であり、Ｔシャツと違い、ニットセーターが長時間に着ないと埃がたまりやすくなり、その時、ニットを取り出す時にまず埃をはたく必要があり、手で埃をはたくと、埃が人の体に飛び、目や鼻にも飛びやすく、したがって自動的に埃をはたき且つ収集するニットセーターの埃をはたく装置を設計することが必要であり、本発明がニットセーターに対し自動的に埃をはたくことができ、またニットセーターを壊さなく、埃をはたくと同時にファンにより埃を収集し、埃が四方に飛び散ることを防ぎ、環境の清潔を有効に維持することができる。
【先行技術文献】
【特許文献】
【０００３】
【特許文献１】中国特許出願公開第107320024号明細書
【発明の概要】
【発明が解決しようとする課題】
【０００４】
本発明の目的はニットセーターの埃をはたく装置を提供し、上記の現在の技術中の問題を解決するのである。
【課題を解決するための手段】
【０００５】
本発明のニットセーターの埃をはたく装置は、装置主体を含み、前記装置主体の中には右方に開口した作業チャンバが設置され、前記作業チャンバの左側内壁の中にはスライドブロックチャンバが連通して設置され、前記スライドブロックチャンバの左側内壁の中にはカムチャンバが連通して設置され、前記カムチャンバと前記スライドブロックチャンバとの中には昇降装置が設置され、前記作業チャンバの中には埃はたき装置が設置され、前記作業チャンバの上側内壁の中には転向装置が設置され、前記作業チャンバの下側内壁の中には埃とり装置が設置され、前記埃はたき装置と、前記転向装置と前記埃とり装置とが前記昇降装置にいずれも連結され、前記作業チャンバの中にはニットセーターが設置され、前記転向装置により前記ニットセーターを挟むことができ、前記昇降装置は前記スライドブロックチャンバの下側内壁の中に設置される下伝動チャンバを含み、前記下伝動チャンバの中には下歯車が回転できるように設置され、前記下歯車の中には長軸が固定的に連結され、前記下伝動チャンバの下側内壁の中にはモータが固定的に設置され、前記長軸が前記モーターに伝動できるように連結され、前記下歯車の左側には左歯車が噛み合って設置され、前記左歯車の左側にはカンチレバー軸が固定的に連結され、前記カンチレバー軸の左端が前記カムチャンバの中に伸びており、且つ前記カンチレバー軸の左端には垂直駆動輪が固定的に連結され、前記垂直駆動輪の左側にはカムが回転できるように設置され、前記カムの中の回転中心にはカム軸が固定的に連結され、前記カム軸の右端には垂直従動輪が固定的に連結され、前記垂直従動輪と前記垂直駆動輪との間には垂直ベルトが連結され、前記スライドブロックチャンバの中にはスライドブロックがスライドできるように設置され、前記スライドブロックの左端が前記カムチャンバの中に伸びており、前記カムの上端が前記スライドブロックと当接しており、前記スライドブロックの上端と前記カムチャンバの上側内壁との間にはバネが固定的に連結される；前記モーターを起動し前記スライドブロックを昇降連動させ、同時に前記埃はたき装置と、前記転向装置および前記埃とり装置を駆動する。
【０００６】
有益的には、前記埃はたき装置は前記作業チャンバの中にスライドできるように設置される固定ロッドを含み、前記固定ロッドの左端が前記スライドブロックに固定的に連結され、前記固定ロッドの中にはガイド溝上下に貫通し設置され、前記固定ロッドの下端には前後に対称している連結ロッドが固定的に連結され、後側にある前記連結ロッドの中にはプーリチャンバが設置され、前記プーリチャンバの中には横向き従動輪が回転できるように設置され、前記横向き従動輪の中には連結軸が固定的に連結され、前記連結軸の前端が前側にある前記連結ロッドに回転できるように連結され、両側にある前記連結ロッドの間には前記連結軸に固定的に連結される埃はたき輪が回転できるように設置され、前記長軸の上端が伸びて前記スライドブロックを貫通し、且つ前記スライドブロックとスライドできるように連結され、前記スライドブロックの中には上伝動チャンバが設置され、前記上伝動チャンバの中には上歯車が回転できるように設置され、前記上歯車が前記長軸にスプラインにより連結され、前記上歯車の後端には後歯車が噛み合って設置され、前記後歯車の後端には横向き駆動輪が固定的に連結され、前記横向き駆動輪と横向き従動輪との間には横向きベルトが連結される；前記埃はたき装置が前記ニットセーターに対し埃を叩くことができ、同時に前記ニットセーターを大きく振るうことを避けられる。
【０００７】
有益的には、前記転向装置は前記スライドブロックチャンバの上側内壁の中に設置される平歯車チャンバを含み、前記長軸の上端が前記平歯車チャンバの中に伸びており、且つ前記長軸の上端には扇形歯車が固定的に連結され、前記扇形歯車の右端には平歯車が噛み合うできるように設置され、前記平歯車の中には短軸が固定的に連結され、前記平歯車の上側には前記短軸に固定的に連結される上駆動輪が回転できるように設置され、前記平歯車チャンバの右側内壁の中には回転盤チャンバが設置され、前記回転盤チャンバの中には上従動輪が回転できるように設置され、前記上駆動輪と前記上従動輪との間には上伝動ベルトが連結され、前記上従動輪の下端には回転盤が固定的に連結され、前記回転盤の下端には前後に対称している連結ブロックが固定的に連結され、前記連結ブロックの中には下に開口した貫通溝が左右に貫通し設置され、前記貫通溝の前後内壁の間にはねじり軸が左右に対称的に回転できるように連結され、前記ねじり軸には服挟みが固定的に連結され、前記服挟みの前後両端と前記貫通溝の前後内壁との間にはねじりばねが固定的に連結される；前記転向装置が左右両側にある前記服挟みにより前記ニットセーターを挟む。
【０００８】
有益的には、前記埃とり装置は前記下伝動チャンバの下側内壁の中に設置される伝動ベルトチャンバを含み、前記伝動ベルトチャンバの中には前記長軸に固定的に連結される下駆動輪が回転できるように設置され、前記下駆動輪の右側には下従動輪が回転できるように設置され、前記下駆動輪と下従動輪との間には下伝動ベルトが連結され、前記下従動輪の中にはファン軸が固定的に連結され、前記作業チャンバの下側内壁の中にはファンチャンバが連通し設置され、前記ファンチャンバの中にはファンが回転できるように設置され、前記ファン軸の上端が前記ファンチャンバの中に伸びており、且つ前記ファンに固定的に連結される；前記埃とり装置がはたかれる埃を前記ファンチャンバの中に収集することができる。
【発明の効果】
【０００９】
有益的な効果には、本発明の構造が簡単であり、操作が便利であり、ニットセーターに対し自動的に埃をはたくことができ、またニットセーターを壊さなく、埃をはたくと同時にファンにより埃を収集し、埃が四方に飛び散ることを防ぎ、環境の清潔を有効に維持することができる。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明のニットセーターの埃をはたく装置の内部構造概略図
【図２】図２は図１のＡ―Ａの構造概略図
【図３】図３は図１のＢ―Ｂの構造概略図
【図４】図４は図１のＣの拡大構造概略図
【図５】図５は図１のＤの拡大構造概略図
【図６】図６は図４のＥ―Ｅの構造概略図
【図７】図７は図５のＦ―Ｆの構造概略図
【発明を実施するための形態】
【００１２】
下記に図１−７をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−７を参考し、本発明のニットセーターの埃をはたく装置は、装置主体１１を含み、前記装置主体１１の中には右方に開口した作業チャンバ３９が設置され、前記作業チャンバ３９の左側内壁の中にはスライドブロックチャンバ２４が連通して設置され、前記スライドブロックチャンバ２４の左側内壁の中にはカムチャンバ２１が連通して設置され、前記カムチャンバ２１と前記スライドブロックチャンバ２４との中には昇降装置１００が設置され、前記作業チャンバ３９の中には埃はたき装置１０１が設置され、前記作業チャンバ３９の上側内壁の中には転向装置１０２が設置され、前記作業チャンバ３９の下側内壁の中には埃とり装置１０３が設置され、前記埃はたき装置１０１と、前記転向装置１０２と前記埃とり装置１０３とが前記昇降装置１００にいずれも連結され、前記作業チャンバ３９の中にはニットセーター３２が設置され、前記転向装置１０２により前記ニットセーター３２を挟むことができ、前記昇降装置１００は前記スライドブロックチャンバ２４の下側内壁の中に設置される下伝動チャンバ４４を含み、前記下伝動チャンバ４４の中には下歯車４５が回転できるように設置され、前記下歯車４５の中には長軸２３が固定的に連結され、前記下伝動チャンバ４４の下側内壁の中にはモータ４２が固定的に設置され、前記長軸２３が前記モーター４２に伝動できるように連結され、前記下歯車４５の左側には左歯車４６が噛み合って設置され、前記左歯車４６の左側にはカンチレバー軸４７が固定的に連結され、前記カンチレバー軸４７の左端が前記カムチャンバ２１の中に伸びており、且つ前記カンチレバー軸４７の左端には垂直駆動輪４８が固定的に連結され、前記垂直駆動輪４８の左側にはカム２０が回転できるように設置され、前記カム２０の中の回転中心にはカム軸１９が固定的に連結され、前記カム軸１９の右端には垂直従動輪１８が固定的に連結され、前記垂直従動輪１８と前記垂直駆動輪４８との間には垂直ベルト４９が連結され、前記スライドブロックチャンバ２４の中にはスライドブロック２２がスライドできるように設置され、前記スライドブロック２２の左端が前記カムチャンバ２１の中に伸びており、前記カム２０の上端が前記スライドブロック２２と当接しており、前記スライドブロック２２の上端と前記カムチャンバ２１の上側内壁との間にはバネ２５が固定的に連結される；前記モーター４２を起動し前記スライドブロック２２を昇降連動させ、同時に前記埃はたき装置１０１と、前記転向装置１０２および前記埃とり装置１０３を駆動する。
【００１４】
有益的に、前記埃はたき装置１０１は前記作業チャンバ３９の中にスライドできるように設置される固定ロッド３５を含み、前記固定ロッド３５の左端が前記スライドブロック２２に固定的に連結され、前記固定ロッド３５の中にはガイド溝３３上下に貫通し設置され、前記固定ロッド３５の下端には前後に対称している連結ロッド３４が固定的に連結され、後側にある前記連結ロッド３４の中にはプーリチャンバ４０が設置され、前記プーリチャンバ４０の中には横向き従動輪４１が回転できるように設置され、前記横向き従動輪４１の中には連結軸３６が固定的に連結され、前記連結軸３６の前端が前側にある前記連結ロッド３４に回転できるように連結され、両側にある前記連結ロッド３４の間には前記連結軸３６に固定的に連結される埃はたき輪３８が回転できるように設置され、前記長軸２３の上端が伸びて前記スライドブロック２２を貫通し、且つ前記スライドブロック２２とスライドできるように連結され、前記スライドブロック２２の中には上伝動チャンバ５０が設置され、前記上伝動チャンバ５０の中には上歯車５２が回転できるように設置され、前記上歯車５２が前記長軸２３にスプラインにより連結され、前記上歯車５２の後端には後歯車５１が噛み合って設置され、前記後歯車５１の後端には横向き駆動輪６０が固定的に連結され、前記横向き駆動輪６０と横向き従動輪４１との間には横向きベルト３７が連結される；前記埃はたき装置１０１が前記ニットセーター３２に対し埃を叩くことができ、同時に前記ニットセーター３２を大きく振るうことを避けられる。
【００１５】
有益的に、前記転向装置１０２は前記スライドブロックチャンバ２４の上側内壁の中に設置される平歯車チャンバ２６を含み、前記長軸２３の上端が前記平歯車チャンバ２６の中に伸びており、且つ前記長軸２３の上端には扇形歯車２７が固定的に連結され、前記扇形歯車２７の右端には平歯車３１が噛み合うできるように設置され、前記平歯車３１の中には短軸２８が固定的に連結され、前記平歯車３１の上側には前記短軸２８に固定的に連結される上駆動輪２９が回転できるように設置され、前記平歯車チャンバ２６の右側内壁の中には回転盤チャンバ５３が設置され、前記回転盤チャンバ５３の中には上従動輪５４が回転できるように設置され、前記上駆動輪２９と前記上従動輪５４との間には上伝動ベルト３０が連結され、前記上従動輪５４の下端には回転盤５５が固定的に連結され、前記回転盤５５の下端には前後に対称している連結ブロック５６が固定的に連結され、前記連結ブロック５６の中には下に開口した貫通溝５７が左右に貫通し設置され、前記貫通溝５７の前後内壁の間にはねじり軸５９が左右に対称的に回転できるように連結され、前記ねじり軸５９には服挟み５８が固定的に連結され、前記服挟み５８の前後両端と前記貫通溝５７の前後内壁との間にはねじりばね６１が固定的に連結される；前記転向装置１０２が左右両側にある前記服挟み５８により前記ニットセーター３２を挟む。
【００１６】
有益的に、前記埃とり装置１０３は前記下伝動チャンバ４４の下側内壁の中に設置される伝動ベルトチャンバ１７を含み、前記伝動ベルトチャンバ１７の中には前記長軸２３に固定的に連結される下駆動輪４３が回転できるように設置され、前記下駆動輪４３の右側には下従動輪１５が回転できるように設置され、前記下駆動輪４３と下従動輪１５との間には下伝動ベルト１６が連結され、前記下従動輪１５の中にはファン軸１４が固定的に連結され、前記作業チャンバ３９の下側内壁の中にはファンチャンバ１３が連通し設置され、前記ファンチャンバ１３の中にはファン１２が回転できるように設置され、前記ファン軸１４の上端が前記ファンチャンバ１３の中に伸びており、且つ前記ファン１２に固定的に連結される；前記埃とり装置１０３がはたかれる埃を前記ファンチャンバ１３の中に収集することができる。
【００１７】
初期状態にある時に扇形歯車２７が平歯車３１と噛み合っていない。
【００１８】
使用する時に、ねじりバネ６１の弾力作用のもとで、服挟み５８によりニットセーター３２を挟み且つ垂直に維持し、モーター４２を起動し、それにより長軸２３を回転連動させ、長軸２３がベルト伝動を駆動することによりファン１２を回転連動させ、それによりずっど埃を収集し環境の清潔を維持し、同時に長軸２３が歯車伝動とベルト伝動を駆動することによりカム２０を回転連動させ、バネ２５の弾力作用のもとでスライドブロック２２が上下に往復スライドすることを実現し、同時にスライドブロック２２が固定ロッド３５をスライド連動させ、それによりニットセーター３２にガイド溝３３を貫通させ、且つ埃はたき輪３８の右端と当接させ、同時に長軸２３が歯車伝動とベルト伝動を駆動することにより埃はたき輪３８を回転連動させ、ニットセーター３２の左端面に対し埃をはたき、スライドブロック２２上下に一周に往復スライドした後に、扇形歯車２７が平歯車３１と噛み合い、その時スライドブロック２２が下極限の位置に静止状態にあり、その時長軸２３が歯車伝動とベルト伝動を駆動することにより回転盤５５を回転連動させ、それにより回転盤５５と服挟み５８によりニットセーター３２を回転連動させ、扇形歯車２７が平歯車３１を半周に回転連動させることができ、それによりニットセーター３２を半周に回転させ、その時ニットセーター３２の右端面に対し埃をはたくことができる。
【００１９】
有益的な効果には、本発明の構造が簡単であり、操作が便利であり、ニットセーターに対し自動的に埃をはたくことができ、またニットセーターを壊さなく、埃をはたくと同時にファンにより埃を収集し、埃が四方に飛び散ることを防ぎ、環境の清潔を有効に維持することができる。
【００２０】
本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175357.tif 000003
【図２】
2020175357.tif 000004
【図３】
2020175357.tif 000005
【図４】
2020175357.tif 000006
【図５】
2020175357.tif 000007
【図６】
2020175357.tif 000008
【図７】
2020175357.tif 000009
【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
装置主体を含み、前記装置主体の中には右方に開口した作業チャンバが設置され、前記作業チャンバの左側内壁の中にはスライドブロックチャンバが連通して設置され、前記スライドブロックチャンバの左側内壁の中にはカムチャンバが連通して設置され、前記カムチャンバと前記スライドブロックチャンバとの中には昇降装置が設置され、前記作業チャンバの中には埃はたき装置が設置され、前記作業チャンバの上側内壁の中には転向装置が設置され、前記作業チャンバの下側内壁の中には埃とり装置が設置され、前記埃はたき装置と、前記転向装置と前記埃とり装置とが前記昇降装置にいずれも連結され、前記作業チャンバの中にはニットセーターが設置され、前記転向装置により前記ニットセーターを挟むことができ、前記昇降装置は下伝動チャンバと、下歯車と、長軸と、モータと、左歯車と、カンチレバー軸と、垂直駆動輪と、カムと、カム軸と、垂直従動輪と、垂直ベルトと、スライドブロック及びバネを含み、前記下伝動チャンバが前記スライドブロックチャンバの下側内壁の中に設置され、前記下伝動チャンバの中には前記下歯車が回転できるように設置され、前記下歯車の中には前記長軸が固定的に連結され、前記下伝動チャンバの下側内壁の中には前記モータが固定的に設置され、前記長軸が前記モーターに伝動できるように連結され、前記下歯車の左側には前記左歯車が噛み合って設置され、前記左歯車の左側には前記カンチレバー軸が固定的に連結され、前記カンチレバー軸の左端が前記カムチャンバの中に伸びており、且つ前記カンチレバー軸の左端には前記垂直駆動輪が固定的に連結され、前記垂直駆動輪の左側には前記カムが回転できるように設置され、前記カムの中の回転中心には前記カム軸が固定的に連結され、前記カム軸の右端には前記垂直従動輪が固定的に連結され、前記垂直従動輪と前記垂直駆動輪との間には前記垂直ベルトが連結され、前記スライドブロックチャンバの中には前記スライドブロックがスライドできるように設置され、前記スライドブロックの左端が前記カムチャンバの中に伸びており、前記カムの上端が前記スライドブロックと当接しており、前記スライドブロックの上端と前記カムチャンバの上側内壁との間には前記バネが固定的に連結されており、前記モーターを起動し前記スライドブロックを昇降連動させ、同時に前記埃はたき装置と、前記転向装置および前記埃とり装置を駆動し、
前記埃はたき装置は前記作業チャンバの中にスライドできるように設置される固定ロッドを含み、前記固定ロッドの左端が前記スライドブロックに固定的に連結され、前記固定ロッドの中にはガイド溝が前記固定ロッドを上下に貫通するように設置され、前記固定ロッドの下端には二つの連結ロッドが固定的に連結され、二つの連結ロッドが前後対称に設置され、後側にある前記連結ロッドの中にはプーリチャンバが設置され、前記プーリチャンバの中には横向き従動輪が回転できるように設置され、前記横向き従動輪の中には連結軸が固定的に連結され、前記連結軸の前端が前側にある前記連結ロッドに回転できるように連結され、両側にある前記連結ロッドの間には前記連結軸に固定的に連結される埃はたき輪が回転できるように設置され、前記長軸の上端が前記スライドブロックとスライドできるように連結され、前記スライドブロックの中には上伝動チャンバが設置され、前記上伝動チャンバの中には上歯車が回転できるように設置され、前記上歯車が前記長軸にスプラインにより連結され、前記上歯車の後端には後歯車が噛み合って設置され、前記後歯車の後端には横向き駆動輪が固定的に連結され、前記横向き駆動輪と横向き従動輪との間には横向きベルトが連結されており、前記埃はたき装置が前記ニットセーターに対し埃を叩くことができ、
前記転向装置は前記スライドブロックチャンバの上側内壁の中に設置される平歯車チャンバを含み、前記長軸の上端が前記平歯車チャンバの中に伸びており、且つ前記長軸の上端には扇形歯車が固定的に連結され、前記扇形歯車の右端には平歯車が噛み合っており、前記平歯車の中には短軸が固定的に連結され、前記平歯車の上側には前記短軸に固定的に連結される上駆動輪が回転できるように設置され、前記平歯車チャンバの右側内壁の中には回転盤チャンバが設置され、前記回転盤チャンバの中には上従動輪が回転できるように設置され、前記上駆動輪と前記上従動輪との間には上伝動ベルトが連結され、前記上従動輪の下端には回転盤が固定的に連結され、前記回転盤の下端には前後に対称している連結ブロックが固定的に連結され、前記連結ブロックの中には下に開口した貫通溝が左右に貫通し設置され、前記貫通溝の前後内壁の間には二つのねじり軸が回転できるように連結され、二つのねじり軸が位置的に左右対称となり、前記ねじり軸には服挟みが固定的に連結され、前記服挟みの前後両端と前記貫通溝の前後内壁との間にはねじりばねが固定的に連結されており、長軸が歯車伝動とベルト伝動を駆動することにより回転盤を回転連動させ、前記転向装置が左右両側にある前記服挟みにより前記ニットセーターを挟み、
前記埃とり装置は前記下伝動チャンバの下側内壁の中に設置される伝動ベルトチャンバを含み、前記伝動ベルトチャンバの中には前記長軸に固定的に連結される下駆動輪が回転できるように設置され、前記下駆動輪の右側には下従動輪が回転できるように設置され、前記下駆動輪と下従動輪との間には下伝動ベルトが連結され、前記下従動輪の中にはファン軸が固定的に連結され、前記作業チャンバの下側内壁の中にはファンチャンバが連通し設置され、前記ファンチャンバの中にはファンが回転できるように設置され、前記ファン軸の上端が前記ファンチャンバの中に伸びており、且つ前記ファンに固定的に連結されており、前記埃とり装置がはたかれる埃を前記ファンチャンバの中に収集することができることを特徴とするニットセーターの埃をはたく装置。
【手続補正２】
【補正対象書類名】明細書
【補正対象項目名】全文
【補正方法】変更
【補正の内容】
【発明の詳細な説明】
【技術分野】
【０００１】
本発明はニットセーター分野を取り上げて、具体的にはニットセーターの埃をはたく装置である。
【背景技術】
【０００２】
ニットセーターはよく見られる服であり、Ｔシャツと違い、ニットセーターが長時間に着ないと埃がたまりやすくなり、その時、ニットを取り出す時にまず埃をはたく必要があり、手で埃をはたくと、埃が人の体に飛び、目や鼻にも飛びやすく、したがって自動的に埃をはたき且つ収集するニットセーターの埃をはたく装置を設計することが必要であり、本発明がニットセーターに対し自動的に埃をはたくことができ、またニットセーターを壊さなく、埃をはたくと同時にファンにより埃を収集し、埃が四方に飛び散ることを防ぎ、環境の清潔を有効に維持することができる。
【先行技術文献】
【特許文献】
【０００３】
【特許文献１】中国特許出願公開第１０７３２００２４号明細書
【発明の概要】
【発明が解決しようとする課題】
【０００４】
本発明の目的はニットセーターの埃をはたく装置を提供し、上記の現在の技術中の問題を解決するのである。
【課題を解決するための手段】
【０００５】
本発明のニットセーターの埃をはたく装置は、装置主体を含み、前記装置主体の中には右方に開口した作業チャンバが設置され、前記作業チャンバの左側内壁の中にはスライドブロックチャンバが連通して設置され、前記スライドブロックチャンバの左側内壁の中にはカムチャンバが連通して設置され、前記カムチャンバと前記スライドブロックチャンバとの中には昇降装置が設置され、前記作業チャンバの中には埃はたき装置が設置され、前記作業チャンバの上側内壁の中には転向装置が設置され、前記作業チャンバの下側内壁の中には埃とり装置が設置され、前記埃はたき装置と、前記転向装置と前記埃とり装置とが前記昇降装置にいずれも連結され、前記作業チャンバの中にはニットセーターが設置され、前記転向装置により前記ニットセーターを挟むことができ、前記昇降装置は下伝動チャンバと、下歯車と、長軸と、モータと、左歯車と、カンチレバー軸と、垂直駆動輪と、カムと、カム軸と、垂直従動輪と、垂直ベルトと、スライドブロック及びバネを含み、前記下伝動チャンバが前記スライドブロックチャンバの下側内壁の中に設置され、前記下伝動チャンバの中には前記下歯車が回転できるように設置され、前記下歯車の中には前記長軸が固定的に連結され、前記下伝動チャンバの下側内壁の中には前記モータが固定的に設置され、前記長軸が前記モーターに伝動できるように連結され、前記下歯車の左側には前記左歯車が噛み合って設置され、前記左歯車の左側には前記カンチレバー軸が固定的に連結され、前記カンチレバー軸の左端が前記カムチャンバの中に伸びており、且つ前記カンチレバー軸の左端には前記垂直駆動輪が固定的に連結され、前記垂直駆動輪の左側には前記カムが回転できるように設置され、前記カムの中の回転中心には前記カム軸が固定的に連結され、前記カム軸の右端には前記垂直従動輪が固定的に連結され、前記垂直従動輪と前記垂直駆動輪との間には垂直ベルトが連結され、前記スライドブロックチャンバの中には前記スライドブロックがスライドできるように設置され、前記スライドブロックの左端が前記カムチャンバの中に伸びており、前記カムの上端が前記スライドブロックと当接しており、前記スライドブロックの上端と前記カムチャンバの上側内壁との間には前記バネが固定的に連結されており、前記モーターを起動し前記スライドブロックを昇降連動させ、同時に前記埃はたき装置と、前記転向装置および前記埃とり装置を駆動する。
【０００６】
有益的には、前記埃はたき装置は前記作業チャンバの中にスライドできるように設置される固定ロッドを含み、前記固定ロッドの左端が前記スライドブロックに固定的に連結され、前記固定ロッドの中にはガイド溝が前記固定ロッドを上下に貫通するように設置され、前記固定ロッドの下端には二つの連結ロッドが固定的に連結され、二つの連結ロッドが前後対称に設置され、後側にある前記連結ロッドの中にはプーリチャンバが設置され、前記プーリチャンバの中には横向き従動輪が回転できるように設置され、前記横向き従動輪の中には連結軸が固定的に連結され、前記連結軸の前端が前側にある前記連結ロッドに回転できるように連結され、両側にある前記連結ロッドの間には前記連結軸に固定的に連結される埃はたき輪が回転できるように設置され、前記長軸の上端が前記スライドブロックとスライドできるように連結され、前記スライドブロックの中には上伝動チャンバが設置され、前記上伝動チャンバの中には上歯車が回転できるように設置され、前記上歯車が前記長軸にスプラインにより連結され、前記上歯車の後端には後歯車が噛み合って設置され、前記後歯車の後端には横向き駆動輪が固定的に連結され、前記横向き駆動輪と横向き従動輪との間には横向きベルトが連結されており、前記埃はたき装置が前記ニットセーターに対し埃を叩くことができる。
【０００７】
有益的には、前記転向装置は前記スライドブロックチャンバの上側内壁の中に設置される平歯車チャンバを含み、前記長軸の上端が前記平歯車チャンバの中に伸びており、且つ前記長軸の上端には扇形歯車が固定的に連結され、前記扇形歯車の右端には平歯車が噛み合っており、前記平歯車の中には短軸が固定的に連結され、前記平歯車の上側には前記短軸に固定的に連結される上駆動輪が回転できるように設置され、前記平歯車チャンバの右側内壁の中には回転盤チャンバが設置され、前記回転盤チャンバの中には上従動輪が回転できるように設置され、前記上駆動輪と前記上従動輪との間には上伝動ベルトが連結され、前記上従動輪の下端には回転盤が固定的に連結され、前記回転盤の下端には前後に対称している連結ブロックが固定的に連結され、前記連結ブロックの中には下に開口した貫通溝が左右に貫通し設置され、前記貫通溝の前後内壁の間には二つのねじり軸が回転できるように連結され、二つのねじり軸が位置的に左右対称となり、前記ねじり軸には服挟みが固定的に連結され、前記服挟みの前後両端と前記貫通溝の前後内壁との間にはねじりばねが固定的に連結されており、前記転向装置が左右両側にある前記服挟みにより前記ニットセーターを挟む。
【０００８】
有益的には、前記埃とり装置は前記下伝動チャンバの下側内壁の中に設置される伝動ベルトチャンバを含み、前記伝動ベルトチャンバの中には前記長軸に固定的に連結される下駆動輪が回転できるように設置され、前記下駆動輪の右側には下従動輪が回転できるように設置され、前記下駆動輪と下従動輪との間には下伝動ベルトが連結され、前記下従動輪の中にはファン軸が固定的に連結され、前記作業チャンバの下側内壁の中にはファンチャンバが連通し設置され、前記ファンチャンバの中にはファンが回転できるように設置され、前記ファン軸の上端が前記ファンチャンバの中に伸びており、且つ前記ファンに固定的に連結されており、ており、前記埃とり装置がはたかれる埃を前記ファンチャンバの中に収集することができる。
【発明の効果】
【０００９】
有益的な効果には、本発明の構造が簡単であり、操作が便利であり、ニットセーターに対し自動的に埃をはたくことができ、またニットセーターを壊さなく、埃をはたくと同時にファンにより埃を収集し、埃が四方に飛び散ることを防ぎ、環境の清潔を有効に維持することができる。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明のニットセーターの埃をはたく装置の内部構造概略図
【図２】図２は図１のＡ―Ａの構造概略図
【図３】図３は図１のＢ―Ｂの構造概略図
【図４】図４は図１のＣの拡大構造概略図
【図５】図５は図１のＤの拡大構造概略図
【図６】図６は図４のＥ―Ｅの構造概略図
【図７】図７は図５のＦ―Ｆの構造概略図
【発明を実施するための形態】
【００１２】
下記に図１−７をあわせて本発明について詳しく説明し、便利に説明するために、下記の方向を以下のように規定する：以下に述べる上下左右前後の方向と図１の自身投影関係の上下左右前後の方向とが一致である。
【００１３】
図１−７を参考し、本発明のニットセーターの埃をはたく装置は、装置主体１１を含み、前記装置主体１１の中には右方に開口した作業チャンバ３９が設置され、前記作業チャンバ３９の左側内壁の中にはスライドブロックチャンバ２４が連通して設置され、前記スライドブロックチャンバ２４の左側内壁の中にはカムチャンバ２１が連通して設置され、前記カムチャンバ２１と前記スライドブロックチャンバ２４との中には昇降装置１００が設置され、前記作業チャンバ３９の中には埃はたき装置１０１が設置され、前記作業チャンバ３９の上側内壁の中には転向装置１０２が設置され、前記作業チャンバ３９の下側内壁の中には埃とり装置１０３が設置され、前記埃はたき装置１０１と、前記転向装置１０２と前記埃とり装置１０３とが前記昇降装置１００にいずれも連結され、前記作業チャンバ３９の中にはニットセーター３２が設置され、前記転向装置１０２により前記ニットセーター３２を挟むことができ、前記昇降装置１００は下伝動チャンバ４４と、下歯車４５と、長軸２３と、モータ４２と、左歯車４６と、カンチレバー軸４７と、垂直駆動輪４８と、カム２０と、カム軸１９と、垂直従動輪１８と、垂直ベルト４９と、スライドブロック２２及びバネ２５を含み、前記下伝動チャンバ４４が前記スライドブロックチャンバ２４の下側内壁の中に設置され、前記下伝動チャンバ４４の中には前記下歯車４５が回転できるように設置され、前記下歯車４５の中には前記長軸２３が固定的に連結され、前記下伝動チャンバ４４の下側内壁の中には前記モータ４２が固定的に設置され、前記長軸２３が前記モーター４２に伝動できるように連結され、前記下歯車４５の左側には前記左歯車４６が噛み合って設置され、前記左歯車４６の左側には前記カンチレバー軸４７が固定的に連結され、前記カンチレバー軸４７の左端が前記カムチャンバ２１の中に伸びており、且つ前記カンチレバー軸４７の左端には前記垂直駆動輪４８が固定的に連結され、前記垂直駆動輪４８の左側には前記カム２０が回転できるように設置され、前記カム２０の中の回転中心には前記カム軸１９が固定的に連結され、前記カム軸１９の右端には前記垂直従動輪１８が固定的に連結され、前記垂直従動輪１８と前記垂直駆動輪４８との間には前記垂直ベルト４９が連結され、前記スライドブロックチャンバ２４の中には前記スライドブロック２２がスライドできるように設置され、前記スライドブロック２２の左端が前記カムチャンバ２１の中に伸びており、前記カム２０の上端が前記スライドブロック２２と当接しており、前記スライドブロック２２の上端と前記カムチャンバ２１の上側内壁との間には前記バネ２５が固定的に連結されており、前記モーター４２を起動し前記スライドブロック２２を昇降連動させ、同時に前記埃はたき装置１０１と、前記転向装置１０２および前記埃とり装置１０３を駆動する。
【００１４】
有益的に、前記埃はたき装置１０１は前記作業チャンバ３９の中にスライドできるように設置される固定ロッド３５を含み、前記固定ロッド３５の左端が前記スライドブロック２２に固定的に連結され、前記固定ロッド３５の中にはガイド溝３３が前記固定ロッド３５を上下に貫通するように設置され、前記固定ロッド３５の下端には二つの連結ロッド３４が固定的に連結され、二つの連結ロッド３４が前後対称に設置され、後側にある前記連結ロッド３４の中にはプーリチャンバ４０が設置され、前記プーリチャンバ４０の中には横向き従動輪４１が回転できるように設置され、前記横向き従動輪４１の中には連結軸３６が固定的に連結され、前記連結軸３６の前端が前側にある前記連結ロッド３４に回転できるように連結され、両側にある前記連結ロッド３４の間には前記連結軸３６に固定的に連結される埃はたき輪３８が回転できるように設置され、前記長軸２３の上端が前記スライドブロック２２とスライドできるように連結され、前記スライドブロック２２の中には上伝動チャンバ５０が設置され、前記上伝動チャンバ５０の中には上歯車５２が回転できるように設置され、前記上歯車５２が前記長軸２３にスプラインにより連結され、前記上歯車５２の後端には後歯車５１が噛み合って設置され、前記後歯車５１の後端には横向き駆動輪６０が固定的に連結され、前記横向き駆動輪６０と横向き従動輪４１との間には横向きベルト３７が連結されており、前記埃はたき装置１０１が前記ニットセーター３２に対し埃を叩くことができる。
【００１５】
有益的に、前記転向装置１０２は前記スライドブロックチャンバ２４の上側内壁の中に設置される平歯車チャンバ２６を含み、前記長軸２３の上端が前記平歯車チャンバ２６の中に伸びており、且つ前記長軸２３の上端には扇形歯車２７が固定的に連結され、前記扇形歯車２７の右端には平歯車３１が噛み合っており、前記平歯車３１の中には短軸２８が固定的に連結され、前記平歯車３１の上側には前記短軸２８に固定的に連結される上駆動輪２９が回転できるように設置され、前記平歯車チャンバ２６の右側内壁の中には回転盤チャンバ５３が設置され、前記回転盤チャンバ５３の中には上従動輪５４が回転できるように設置され、前記上駆動輪２９と前記上従動輪５４との間には上伝動ベルト３０が連結され、前記上従動輪５４の下端には回転盤５５が固定的に連結され、前記回転盤５５の下端には前後に対称している連結ブロック５６が固定的に連結され、前記連結ブロック５６の中には下に開口した貫通溝５７が左右に貫通し設置され、前記貫通溝５７の前後内壁の間には二つのねじり軸５９が回転できるように連結され、二つのねじり軸５９が位置的に左右対称となり、前記ねじり軸５９には服挟み５８が固定的に連結され、前記服挟み５８の前後両端と前記貫通溝５７の前後内壁との間にはねじりばね６１が固定的に連結されており、前記転向装置１０２が左右両側にある前記服挟み５８により前記ニットセーター３２を挟む。
【００１６】
有益的に、前記埃とり装置１０３は前記下伝動チャンバ４４の下側内壁の中に設置される伝動ベルトチャンバ１７を含み、前記伝動ベルトチャンバ１７の中には前記長軸２３に固定的に連結される下駆動輪４３が回転できるように設置され、前記下駆動輪４３の右側には下従動輪１５が回転できるように設置され、前記下駆動輪４３と下従動輪１５との間には下伝動ベルト１６が連結され、前記下従動輪１５の中にはファン軸１４が固定的に連結され、前記作業チャンバ３９の下側内壁の中にはファンチャンバ１３が連通し設置され、前記ファンチャンバ１３の中にはファン１２が回転できるように設置され、前記ファン軸１４の上端が前記ファンチャンバ１３の中に伸びており、且つ前記ファン１２に固定的に連結されており、前記埃とり装置１０３がはたかれる埃を前記ファンチャンバ１３の中に収集することができる。
【００１７】
初期状態にある時に扇形歯車２７が平歯車３１と噛み合っていない。
【００１８】
使用する時に、ねじりバネ６１の弾力作用のもとで、服挟み５８によりニットセーター３２を挟み且つ垂直に維持し、モーター４２を起動し、それにより長軸２３を回転連動させ、長軸２３がベルト伝動を駆動することによりファン１２を回転連動させ、それによりずっど埃を収集し環境の清潔を維持し、同時に長軸２３が歯車伝動とベルト伝動を駆動することによりカム２０を回転連動させ、バネ２５の弾力作用のもとでスライドブロック２２が上下に往復スライドすることを実現し、同時にスライドブロック２２が固定ロッド３５をスライド連動させ、それによりニットセーター３２にガイド溝３３を貫通させ、且つ埃はたき輪３８の右端と当接させ、同時に長軸２３が歯車伝動とベルト伝動を駆動することにより埃はたき輪３８を回転連動させ、ニットセーター３２の左端面に対し埃をはたき、スライドブロック２２上下に一周に往復スライドした後に、扇形歯車２７が平歯車３１と噛み合い、その時スライドブロック２２が下極限の位置に静止状態にあり、その時長軸２３が歯車伝動とベルト伝動を駆動することにより回転盤５５を回転連動させ、それにより回転盤５５と服挟み５８によりニットセーター３２を回転連動させ、扇形歯車２７が平歯車３１を半周に回転連動させることができ、それによりニットセーター３２を半周に回転させ、その時ニットセーター３２の右端面に対し埃をはたくことができる。
【００１９】
有益的な効果には、本発明の構造が簡単であり、操作が便利であり、ニットセーターに対し自動的に埃をはたくことができ、またニットセーターを壊さなく、埃をはたくと同時にファンにより埃を収集し、埃が四方に飛び散ることを防ぎ、環境の清潔を有効に維持することができる。
【００２０】
本発明の保護範囲はここに限らないである。全部の創造的な労働を通じなく思いついた変化と取替は本発明の保護範囲にカバーされる。だから本発明の保護範囲は権利要求書が限定される保護範囲を標準とする。